(57)【要約】【課題】排水口周りに設けられるシール材が洗い場床の表面に露出しない浴室の洗い場床を提供する。【解決手段】基材と、基材より浴室内側に積層された表面層とを備えた浴室の洗い場床であって、基材は、排水用開口と、排水用開口の周りに設けられ表面層が積層される表面層積層部と、表面層積層部から排水用開口へと続くコーナー部に設けられ上方及び排水用開口側が開口されシール材が充填可能な切欠きとを有し、表面層は切欠きを上から覆っている。【選択図】図５
2009102948.tif 000002
【特許請求の範囲】
【請求項１】
基材と、前記基材より浴室内側に積層された表面層とを備えた浴室の洗い場床であって、前記基材は、排水用開口と、前記排水用開口の周りに設けられ、前記表面層が積層される表面層積層部と、前記表面層積層部から前記排水用開口へと続くコーナー部に設けられ、上方及び前記排水用開口側が開口され、シール材が充填可能な切欠きとを有し、
前記表面層は、前記切欠きを上から覆っていることを特徴とする浴室の洗い場床。
【請求項２】
前記基材の前記表面層積層部には接着剤が充填される接着剤充填部が形成され、さらに前記表面層積層部における前記接着剤充填部よりも前記切欠き側の部分には両面テープが貼着される両面テープ貼着部が形成されていることを特徴とする請求項１記載の浴室の洗い場床。
【請求項３】
前記基材と前記表面層との間に積層された弾性変形可能なクッション層をさらに備え、前記表面層は前記クッション層の弾性変形に追従可能な可撓性を有することを特徴とする請求項１または２に記載の浴室の洗い場床。
【発明の詳細な説明】
【技術分野】
【０００１】
本発明は、浴室の洗い場床に関する。
【背景技術】
【０００２】
特許文献１、２には、ＦＲＰ（Fiber Reinforced Plastic）からなる基材と、発泡層と、軟質材からなる表面層とを積層し一体化した浴室洗い場床が開示されている。
【特許文献１】特開２００２−０１７５９８号公報
【特許文献２】特開２００１−２４５８１４号公報
【発明の開示】
【発明が解決しようとする課題】
【０００３】
複数の部材を積層した構造の洗い場床において、排水口周りの端部から積層構造の内部への湯水の浸入を防ぐためにその端部にコーキング処理を行う必要がある。このコーキング処理には、一般に防水性もしくは撥水性を有するシール材が用いられるが、排水口周りの洗い場床表面は、表面上を流れてきた湯水が排水口に向けて流れる部分であるため、洗い場床の上面に撥水性を有するシール材が露出していると排水性を損ね、またシール材の洗い場床表面側への露出は見栄えも損ねる。
【０００４】
本発明は上述の問題に鑑みてなされ、排水口周りに設けられるシール材が洗い場床の表面に露出しない浴室の洗い場床を提供する。
【課題を解決するための手段】
【０００５】
本発明の一態様によれば、基材と、前記基材より浴室内側に積層された表面層とを備えた浴室の洗い場床であって、前記基材は、排水用開口と、前記排水用開口の周りに設けられ、前記表面層が積層される表面層積層部と、前記表面層積層部から前記排水用開口へと続くコーナー部に設けられ、上方及び前記排水用開口側が開口され、シール材が充填可能な切欠きとを有し、前記表面層は、前記切欠きを上から覆っていることを特徴とする浴室の洗い場床が提供される。
【発明の効果】
【０００６】
本発明によれば、排水口周りに設けられるシール材が洗い場床の表面に露出しない浴室の洗い場床が提供される。
【発明を実施するための最良の形態】
【０００７】
図１は、本発明の実施形態に係る洗い場床の積層構造を模式的に示す斜視図である。
【０００８】
本実施形態に係る洗い場床は、基材１と、基材１の上に積層されたクッション層４と、クッション層４の上に積層された表面層５とを備える。クッション層４と表面層５は、基材１における浴室内側の面上に積層される。
【０００９】
図２に基材１の平面図を示す。
【００１０】
基材１は、浴室外に湯水を漏出させない防水性、および壁パネルや天井パネルや風呂椅子や洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂からなる。
【００１１】
基材１には凹部２が設けられている。基材１において凹部２は大部分の面積を占め、凹部２より外側には縁部３が設けられている。縁部３は凹部２の周囲全周にわたって設けられている。縁部３の上面は凹部２の底面より高い位置に設けられている。
【００１２】
クッション層４は、基材１の凹部２に収容され、凹部２の底面に例えば両面テープ等により接着固定されている。クッション層４は、弾性変形可能であり、例えばウレタン等の発泡体からなる。
【００１３】
表面層５は、基材１の凹部２に蓋を被せるようにクッション層４の全面を覆っている。表面層５の平面サイズは、クッション層４の平面サイズより大きく、表面層５においてクッション層４からはみ出る縁部５ａは、基材１の縁部３の上に積層されている。表面層５の表面は浴室内に露出し、使用者が触れたり、湯水にさらされる面となる。表面層５は、耐水性、耐薬品性、耐衝撃性などを有すると共に、下層のクッション層４の弾性変形に追従可能な可撓性を有する。表面層５としては、例えば、基材１に用いるＦＲＰよりも薄く且つ軟質なＦＲＰを用いることができる。
【００１４】
つまり、使用者が表面層５の上に荷重をかけると（負荷時）クッション層４が鉛直方向に縮み、接着剤で接着固定されている表面層５もクッション層４の変形に追随するように下方側に撓む。一方、使用者が表面層５の上に荷重をかけた状態から離れたとき（無負荷時）は、クッション層４が鉛直方向に延び、接着剤で接着固定されている表面層５もクッション層４の変形に追随するように上方側に撓み元に戻る。
【００１５】
図３に示すように、表面層５の表面には溝５ｂが形成されている。この溝５ｂは、表面層５の表面上を排水口に向けて流れる湯水の排水流路として機能する。また、表面層５の表面に溝５ｂを形成することで、表面層５の表面に凹凸が形成され、洗い場床が滑りにくくなる効果も得られる。
【００１６】
本実施形態に係る洗い場床はクッション層４を備えるので、使用者がひざをついても痛くないやわらかな感触が得られる。また、床が足になじみ、濡れた足でも滑りにくくできる。さらに、例えば洗面器を床に落としても音が響かない。
【００１７】
ここで、クッション性を有する例えば発泡体は耐水性、耐薬品性、耐衝撃性など、洗い場床として求められる基本性能に優れず、クッション性を有する材料だけで構成した洗い場床は商品として提供しにくい。また、クッション性を有する材料としては発泡体以外にもゴム材があるが、ゴム材はゴム臭がするため、そのような材料を気密性の高い浴室内に、洗い場床という比較的広い面積にわたって用いるのは好ましくない。
【００１８】
したがって、発泡体を洗い場床におけるクッション層２として設けた場合、浴室内側に露出する表面には、耐水性などのユニットバスの基本性能を満足する材料からなる表面層５が別途必要になる。クッション層４の表面側にそのような表面層５を積層した構造においては、使用者は表面層５に触れることになるがその使用者にクッション層４の機能（柔らかさ）を感じさせるようにするため、表面層５には可撓性が求められる。
【００１９】
前述したような特性を満足する表面層５やクッション層４は荷重を支えるのに十分な強度を確保しにくく、これらの層とは別に、荷重を支えるために表面層５やクッション層４よりも強度の大きな基材１が必要となる。すなわち、洗い場床に柔らかさを付与しつつ、洗い場床として求められる最低限の基本性能を確保するためには少なくとも基材１、クッション層４、表面層５を組み合わせた構造にすることが望ましい。
【００２０】
クッション層４が基材１の凹部２に収まった状態で、クッション層４の側端部と凹部２の側壁面との間には隙間が形成され、その隙間には図４に示すように接着剤１５が充填されている。基材１の縁部３の上面には、環状の溝１６が形成され、さらにその溝１６より外側にも溝１８が形成されている。外側の溝１８は内側の溝１６よりも幅が大きい。内側の溝１６には接着剤１７が充填され、外側の溝１８には両面テープ１９が貼り付けられている。表面層５において、クッション層４よりはみ出る縁部５ａは、それら接着剤１７及び両面テープ１９を介して、基材１の縁部３に接着固定されている。
【００２１】
基材１の最外縁部には水返し用の側壁部１１が設けられ、その側壁部１１のすぐ内側の部分に、壁パネル１０１が載置される。壁パネル１０１における浴室内側の一部は、基材１の縁部３の上に積層された表面層５の縁部５ａの上にも載置されている。これにより、表面層５と基材１との境界が浴室内に露出せず、また、表面層５と基材１との境界にシリコン等によって止水処理を施さなくても、壁パネル１０１と表面層５との間に目地部材を挟み込むことで止水を図れるため、見栄えを損ねず商品価値を高めることができる。
【００２２】
表面層５の縁部５ａはクッション層４を介さずに基材１の縁部３の上に直接接着固定されているため、壁パネル１０１が表面層５の上に重なっても、クッション層４の弾性変形によって壁パネル１０１が傾いたり、クッション層４の復元力が壁パネル１０１に作用することがない。これにより、壁パネル１０１及びその上の天井パネルを基材１上に安定して支えることができ、壁パネル１０１間あるいは壁パネル１０１と他の部材間のジョイント部分に不所望の隙間が生じることを防いで浴室内の防水性を損ねることがない。
【００２３】
クッション層４が弾性変形し、それに追従して可撓性を有する表面層５がたわむことで、使用者は洗い場床の柔らかさを感じることになるが、ユニットバスの洗い場床は、使用者の体重がかかったり（特に風呂椅子に座った時などは集中荷重が加わる）、壁パネルの荷重がかかり、且つ長期的に使用するものでもあるため、長期使用によりクッション層４のへたり（塑性変形）が起こることが懸念される。クッション層４のへたりが生じると、洗い場床の柔らかさが失われるのはもちろん、表面層５の表面に凹部が生じて湯水が溜まり、洗い場床に必要とされている基本性能の一つである排水性が損なわれる可能性がある。
【００２４】
クッション層４が弾性変形してつぶれると、自らが有する復元力によって元に戻ろうとするが、この復元力に加えて、さらに、本実施形態によれば、表面層５が、縮んだクッション層４を引っ張り上げる力によってもクッション層４の自然状態への復元を助長することができる。
【００２５】
表面層５は洗い場床の最表面を構成する層であるため、しわやたるみが生じないように、ある程度の張力をかけた状態で、クッション層４に覆い被さるように基材１の縁部３に接着固定される。したがって、表面層５に上から荷重がかかって表面層５が下方に撓むと、元の状態（上からの荷重がない状態）に戻ろうとする力がはたらく。表面層５においてクッション層４に覆い被さる部分の裏面はクッション層４と接着されているため、表面層５が元の状態に戻る際に、クッション層４も表面層５に追従して上に引っ張り上げられるようになる。
【００２６】
すなわち、クッション層４が弾性変形してつぶれた際、クッション層４自らが有する復元力だけでなく、クッション層４が表面層５の復元に追従する作用もクッション層４の復元に貢献する。これにより、クッション層４は自然状態へと戻りやすくなり、へたりが起こりにくくなる。
【００２７】
表面層５はクッション層４に覆い被さるようにその縁部５ａが基材１の縁部３に対して接着固定されるため、無負荷状態におけるクッション層４の厚みが基材１の凹部２の深さより大きいと、クッション層４は表面層５から下方に押し付けられる力を受け、クッション性が低減すると共にへたりやすくなる。また、無負荷状態におけるクッション層４の厚みが基材１の凹部２の深さより小さいと、表面層５とクッション層４との間に隙間が形成されクッション性を損ねる可能性がある。したがって、クッション層４に上から荷重が作用しない無負荷状態（自然状態）におけるクッション層４の厚みが、基材１の凹部２の深さと略同一とすることが望ましい。
【００２８】
ここで、発泡体には、個々の気泡が密閉されて独立して存在する独立気泡構造と、気泡が他の気泡や発泡体外部とつながって相互に連続している連続気泡構造とがあるが、本実施形態に係る洗い場床のクッション層４として用いる発泡体としては、クッション層４のへたりを抑制する観点から連続気泡構造の発泡体が望ましい。
【００２９】
また、表面層５と基材１との線膨張率が異なると、熱が加わった際に各層の境界面に異なるせん断力が働き、剥がれるおそれがある。特に、洗い場床は、トラック搬送時に約６５℃の環境下に置かれることがあったり、実使用において約４０℃の温水がかかることがある。このように洗い場床というものは、大きな温度変化がある環境下に置かれるものなので、線膨張および線収縮が起きるおそれがあり、対策が必要である。ここで、表面層５と基材１とが近似した線膨張率の材料で形成されていると、それら両者の間に挟まれて接着されているクッション層４に対してのせん断力は、クッション層４の上面と下面側で略等しくなるため、クッション層４が水平方向に伸縮することで発生する各境界面での剥がれの可能性を低減できることになる。
【００３０】
ここで、各層の接着力を強力にしておくことで線膨張による剥がれを防止する策もあるが、本実施形態によれば、該接着力のみに依存せずに剥がれを防止することができる。
【００３１】
具体的に、本実施形態では、表面層５と基材１はそれぞれ線膨張率の近似した材料を採用することにより、各層の線膨張率の違いによる剥がれという、不安要素を軽減している。特に、表面層５をＦＲＰよりも薄く且つ軟質なＦＲＰにすることで、基材１を表面層５と同質で従来同様のＦＲＰを利用することができるため好ましい。尚、軟質のＦＲＰは、親水素材となるため、洗い場床面上の排水性にとっても有利である。
【００３２】
次に、図５は、本発明の実施形態に係る洗い場床における排水用開口６が形成された部分の模式断面図である。
【００３３】
基材１における面方向の端部には排水用開口６が形成されている。基材１においてクッション層４や表面層５が積層される板状の部分には、排水用開口６に向けて下向き傾斜した１／３０〜１／７０の排水勾配が付けられており、洗い場床表面（表面層５の表面）上の湯水は排水用開口６に向けて流れ、排水用開口６の下に設けられた図示しない排水トラップを経て排水管へと排水される。ここで、この勾配は１／５０（１度１０分）が好ましい。
【００３４】
前述したように、表面層５は、基材１の凹部２に蓋を被せるようにクッション層４の全面を覆っている。表面層５の裏面は、クッション層４の表面に対して例えば両面テープによって接着固定されている。クッション層４は凹部２の底面に両面テープ２４により接着固定されている。基材１において排水用開口６の周りには、凹部２の底面より高くされた表面層積層部１２が設けられている。表面層５の平面サイズはクッション層４の平面サイズより大きく、表面層５においてクッション層４からはみ出る部分は、基材１の表面層積層部１２の上に積層されている。
【００３５】
基材１において、排水用開口６の周りに設けられた表面層積層部１２から排水用開口６へと続くコーナー部には、上方及び排水用開口６側が開口された切欠き８が形成されている。ここで、コーナー部とは、基材１の外周側縁部の上面と、基材１の排水用開口６を形成するための側面との境目を指す。表面層積層部１２の上面と切欠き８の底面との間には段差が形成され、切欠き８の底面は表面層積層部１２の上面より低い位置に形成されている。
【００３６】
表面層５は、表面層積層部１２に積層された部分から排水用開口６の開口縁部にまで延在し、切欠き８を上から覆っている。切欠き８には、防水性もしくは撥水性を有する例えばシリコン等のシール材２５が充填される。これにより、排水用開口６に臨む部分における表面層５と基材１との間の隙間が水密に封止され、基材１の表面層積層部１２と表面層５との層間や、その層間の隙間を伝って、クッション層４が収容された基材１の凹部２に湯水が浸入することを防げる。ここで、切欠き８を覆い、排水用開口６の開口縁部にまで延在した表面層５の端部は平面視で、基材１の排水用開口６を形成するための側面の延長線上に配置される。
【００３７】
切欠き８及びそこに充填されたシール材２５の上側は表面層５に覆われているため、洗い場床の表面（表面層５の表面）上にいる使用者からはシール材２５は見えないため、洗い場床の意匠性を損ねず商品価値を低下させない。また、表面層５の表面上を湯水が流れて排水用開口６に排水される際、洗い場床表面において排水用開口６へと続く部分に撥水性のシール材２５が露出していないため排水性を損ねることもない。つまり、撥水性のシール材２５は排水用開口６の側面に露出することとなるため、排水トラップに向かって流れてきた排水は、シール材２５が露出した部分に触れても、自重で落下するため排水性を損ねることがない。
【００３８】
シール材２５は排水用開口６に臨む部分には露出しているが、その部分は洗い場床表面上にいる使用者からは目に付きにくい部分であり、また排水用開口６には蓋７が被せられるため、シール材２５が使用者に視認されることはほとんどない。
【００３９】
クッション層４が基材１の凹部２に収まった状態で、クッション層４の側端部と凹部２の側壁面との間には隙間が形成され、その隙間には接着剤２３が充填されている。
【００４０】
また、基材１の表面層積層部１２には接着剤充填部１４が形成され、さらに表面層積層部１２における接着剤充填部１４よりも切欠き８側の部分には両面テープ貼着部１３が形成されている。接着剤充填部１４は溝状に形成され、両面テープ貼着部１３は接着剤充填部１４よりも幅広で浅い溝状に形成されている。接着剤充填部１４には接着剤２２が充填され、両面テープ貼着部１３には両面テープ２１が貼着される。これら、接着剤２２及び両面テープ２１によって、表面層５は基材１の表面層積層部１２に接着固定されている。
【００４１】
表面層５において基材１の表面層積層部１２に積層される部分のうち、より内側（クッション層４側）の部分は、流動性を持った状態で充填された後硬化してより強力な接着力を発揮する接着剤２２によって固定され、切欠き８に近い部分は両面テープ２１によって固定される。表面層５を基材１に対して貼り合わせる際に、まだ硬化せずに流動性を有する接着剤２２が接着剤充填部１４からはみ出して、表面層５と表面層積層部１２との界面を切欠き８側に押し出されるように流動したとしても、両面テープ２１が堰のように機能して、接着剤２２が切欠き８に至るのを防ぐことができる。これにより、切欠き８内のシール材２５の充填性を損ねず、そのシール材２５による水密性を損ねない。
【００４２】
また、切欠き８は両面テープ貼着部１３に通じ、両面テープ２１がシール材２５を堰き止めて、シール材２５が表面層５と基材１との間の隙間をより内側へと流動して入り込んでしまうことを防げる。
【００４３】
なお、基材１、クッション層４および表面層５の積層構造を得るにあたっては、それらを一体に熱間成型することにより相互に溶着固定させてもよい。また、本発明は、２層構造、あるいは４層以上の積層構造の洗い場床にも適用可能である。
【図面の簡単な説明】
【００４４】
【図１】本発明の実施形態に係る浴室の洗い場床の積層構造を模式的に示す斜視図。
【図２】同実施形態に係る洗い場床における基材の平面図。
【図３】同実施形態に係る洗い場床における表面層表面の部分拡大図。
【図４】同実施形態に係る洗い場床における壁パネルが載置される部分の拡大断面図。
【図５】同実施形態に係る洗い場床における排水用開口が形成された部分の模式断面図。
【符号の説明】
【００４５】
１…基材、４…クッション層、５…表面層、８…切欠き、６…排水用開口、１２…表面層積層部、２１，２４…両面テープ、２２，２３…接着剤、２５…シール材
【図１】
2009102948.tif 000003
【図２】
2009102948.tif 000004
【図３】
2009102948.tif 000005
【図４】
2009102948.tif 000006
【図５】
2009102948.tif 000007